(57)【要約】【課題】撮影フレームにおける患者眼の描画位置によらずに乱視軸角度を高確度で測定することが可能な眼科手術用顕微鏡を提供する。【解決手段】眼科手術用顕微鏡１の記憶部７０には、少なくとも撮影光学系のパワー分布に起因する乱視パラメーターの分布を表す乱視分布情報７１が記憶されている。乱視情報算出部９２は、ＬＥＤ群１３１−ｉからの光が投影された状態の患者眼Ｅを撮像素子５６ａにより撮影して得られた画像に基づいて乱視情報を算出する。乱視情報補正部９３は、この乱視情報を乱視分布情報７１に基づいて補正する。【選択図】図６
2013027536.tif 000002
【特許請求の範囲】
【請求項１】
患者眼を照明する照明光学系と、照明された前記患者眼を撮影する撮像素子を含む撮影光学系とを有する光学系と、
前記光学系の少なくとも一部が格納された本体部と、
前記本体部に装着され、リング状に配列された複数の輝点を有する装着部と、
前記複数の輝点が投影された状態の前記患者眼を前記撮像素子により撮影して得られた画像に基づいて乱視情報を算出する算出部と、
少なくとも前記撮影光学系のパワー分布に起因する乱視パラメーターの分布を表す乱視分布情報があらかじめ記憶された記憶部と、
前記算出部により算出された乱視情報を前記乱視分布情報に基づいて補正する補正部と、
を備える眼科手術用顕微鏡。
【請求項２】
前記算出部により算出される前記乱視情報は乱視軸角度を含み、
前記補正された乱視軸角度に対応する位置の輝点を前記複数の輝点のうちから特定し、前記特定された輝点の態様と他の輝点の態様とを相違させる制御部を更に備える、
ことを特徴とする請求項１に記載の眼科手術用顕微鏡。
【請求項３】
前記乱視分布情報には、前記撮像素子による撮影画像のフレーム中の各位置における前記乱視パラメーターが記録されていることを特徴とする請求項１又は請求項２に記載の眼科手術用顕微鏡。
【請求項４】
前記乱視分布情報には、前記撮像素子による撮影画像のフレーム中の複数の位置における前記乱視パラメーターの測定結果に最小二乗法を適用して得られた情報が記録されていることを特徴とする請求項１〜請求項３のいずれかに記載の眼科手術用顕微鏡。
【請求項５】
前記撮像素子による撮影画像に基づいて、当該フレーム中の複数の位置のそれぞれにおける前記乱視パラメーターを求め、求められた複数の乱視パラメーターに最小二乗法を適用して前記乱視分布情報を生成する生成部を更に備えることを特徴とする請求項１〜請求項４のいずれか一項に記載の眼科手術用顕微鏡。
【請求項６】
前記生成部は、前記複数の輝点が投影された状態の無乱視模型眼の像が前記複数の位置にそれぞれ描画された複数の前記撮影画像に基づいて、前記複数の乱視パラメーターとしての複数の乱視度数及び乱視軸角度の組を求めることを特徴とする請求項５に記載の眼科手術用顕微鏡。
【請求項７】
前記生成部は、
前記複数の乱視度数及び乱視軸角度の組のそれぞれについて、当該乱視度数Ｃｉを動径とし、かつ当該乱視軸角度θｉの２倍の値２θｉを偏角とする極座標（Ｃｉ、θｉ）に対応する２次元直交座標（Ｘｉ、Ｙｉ）を求め、
求められた複数の２次元直交座標（Ｘｉ、Ｙｉ）における複数の座標Ｘｉに最小二乗法を適用して前記フレームの一部又は全部にわたる第１のｎ次近似曲面を算出し、
前記複数の２次元直交座標（Ｘｉ、Ｙｉ）における複数の座標Ｙｉに最小二乗法を適用して前記フレームの一部又は全部にわたる第２のｎ次近似曲面を算出し、
算出された前記第１のｎ次近似曲面及び前記第２のｎ次近似曲面を前記乱視分布情報とする、
ことを特徴とする請求項６に記載の眼科手術用顕微鏡。
【請求項８】
前記算出部は、前記乱視情報として乱視度数と乱視軸角度とを算出し、
前記補正部は、
前記算出部により算出された乱視度数Ｃを動径とし、かつ当該乱視軸角度θの２倍の値２θを偏角とする極座標（Ｃ、θ）に対応する２次元直交座標（Ｘｍ、Ｙｍ）を求め、
前記撮像素子により得られた前記患者眼の画像に描画された前記複数の輝点の像の楕円配列の中心位置における前記第１のｎ次近似曲面の座標Ｘｃ及び前記第２のｎ次近似曲面の座標Ｙｃを、それぞれ前記座標Ｘｍ及び前記座標Ｙｍから減算し、
この減算によって得られた座標Ｘｍ−Ｘｃ及び座標Ｙｍ−Ｙｃを極座標に変換して乱視度数及び乱視軸角度を求める、
ことを特徴とする請求項７に記載の眼科手術用顕微鏡。
【発明の詳細な説明】
【技術分野】
【０００１】
この発明は眼科手術用顕微鏡に関する。
【背景技術】
【０００２】
患者眼の乱視軸角度を測定し、その測定結果を患者眼に投影することが可能な眼科手術用顕微鏡が知られている（たとえば特許文献１を参照。特許文献１の記載内容はこの明細書に援用される。）。この眼科手術用顕微鏡は、円形状に配列された複数の輝点を患者眼に投影し、これら投影像の配置状態に基づいて乱視軸角度を算出するものであり、乱視矯正用のトーリックＩＯＬ（Ｉｎｔｒａｏｃｕｌａｒ  Ｌｅｎｓ）の移植手術などに用いられる。
【０００３】
効果的に乱視を矯正するには、乱視度数だけでなく乱視軸角度も重要である。したがって、トーリックＩＯＬを移植する際には、レンズの配置方向を高確度で調整する必要がある。特許文献１の眼科手術用顕微鏡は、このようなニーズを充足するものである。また、乱視軸角度を患者眼に直接マーキングする従来の方法を採らなくてよいという利点もある。
【先行技術文献】
【特許文献】
【０００４】
【特許文献１】特開２０１１−１１０１７２号公報
【発明の概要】
【発明が解決しようとする課題】
【０００５】
ところで、眼科手術において術者は、患者眼に対する顕微鏡の位置合わせを適宜手動で行う。これは、自動でアライメントを行う眼科装置（オートレフラクトメータ等）と異なる点である。このような事情により、眼科手術用顕微鏡においては、撮影フレームの中心から外れた位置に患者眼が描画され、画像に歪曲収差が発生することがある。そうすると、乱視軸角度の測定結果に誤差が介在してしまう。
【０００６】
また、特許文献１において上記投影像を形成する器具は、顕微鏡本体に着脱可能とされており、様々な顕微鏡とともに使用される。よって、この器具を用いた乱視軸測定は、顕微鏡光学系やカメラの条件に影響を受ける。たとえば顕微鏡光学系は固有の収差を有しており、またカメラによる映像をキャプチャする際のアスペクト比もそれぞれである。このような条件の違いは乱視軸角度の測定結果に影響を与える。特に、撮影フレームにおける患者眼の描画位置に応じて測定結果への影響も異なってくる。
【０００７】
この発明は、上記の問題を解決するためになされたものであり、その目的は、撮影フレームにおける患者眼の描画位置によらずに乱視軸角度を高確度で測定することが可能な眼科手術用顕微鏡を提供することにある。
【課題を解決するための手段】
【０００８】
上記目的を達成するために、請求項１に記載の眼科手術用顕微鏡は、患者眼を照明する照明光学系と、照明された前記患者眼を撮影する撮像素子を含む撮影光学系とを有する光学系と、前記光学系の少なくとも一部が格納された本体部と、前記本体部に装着され、リング状に配列された複数の輝点を有する装着部と、前記複数の輝点が投影された状態の前記患者眼を前記撮像素子により撮影して得られた画像に基づいて乱視情報を算出する算出部と、少なくとも前記撮影光学系のパワー分布に起因する乱視パラメーターの分布を表す乱視分布情報があらかじめ記憶された記憶部と、前記算出部により算出された乱視情報を前記乱視分布情報に基づいて補正する補正部と、を備える眼科手術用顕微鏡である。
また、請求項２に記載の発明は、請求項１に記載の眼科手術用顕微鏡であって、前記算出部により算出される前記乱視情報は乱視軸角度を含み、前記補正された乱視軸角度に対応する位置の輝点を前記複数の輝点のうちから特定し、前記特定された輝点の態様と他の輝点の態様とを相違させる制御部を更に備える、ことを特徴とする。
また、請求項３に記載の発明は、請求項１又は請求項２に記載の眼科手術用顕微鏡であって、前記乱視分布情報には、前記撮像素子による撮影画像のフレーム中の各位置における前記乱視パラメーターが記録されていることを特徴とする。
また、請求項４に記載の発明は、請求項１〜請求項３のいずれかに記載の眼科手術用顕微鏡であって、前記乱視分布情報には、前記撮像素子による撮影画像のフレーム中の複数の位置における前記乱視パラメーターの測定結果に最小二乗法を適用して得られた情報が記録されていることを特徴とする。
また、請求項５に記載の発明は、請求項１〜請求項４のいずれか一項に記載の眼科手術用顕微鏡であって、前記撮像素子による撮影画像に基づいて、当該フレーム中の複数の位置のそれぞれにおける前記乱視パラメーターを求め、求められた複数の乱視パラメーターに最小二乗法を適用して前記乱視分布情報を生成する生成部を更に備えることを特徴とする。
また、請求項６に記載の発明は、請求項５に記載の眼科手術用顕微鏡であって、前記生成部は、前記複数の輝点が投影された状態の無乱視模型眼の像が前記複数の位置にそれぞれ描画された複数の前記撮影画像に基づいて、前記複数の乱視パラメーターとしての複数の乱視度数及び乱視軸角度の組を求めることを特徴とする。
また、請求項７に記載の発明は、請求項６に記載の眼科手術用顕微鏡であって、前記生成部は、前記複数の乱視度数及び乱視軸角度の組のそれぞれについて、当該乱視度数Ｃｉを動径とし、かつ当該乱視軸角度θｉの２倍の値２θｉを偏角とする極座標（Ｃｉ、θｉ）に対応する２次元直交座標（Ｘｉ、Ｙｉ）を求め、求められた複数の２次元直交座標（Ｘｉ、Ｙｉ）における複数の座標Ｘｉに最小二乗法を適用して前記フレームの一部又は全部にわたる第１のｎ次近似曲面を算出し、前記複数の２次元直交座標（Ｘｉ、Ｙｉ）における複数の座標Ｙｉに最小二乗法を適用して前記フレームの一部又は全部にわたる第２のｎ次近似曲面を算出し、算出された前記第１のｎ次近似曲面及び前記第２のｎ次近似曲面を前記乱視分布情報とする、ことを特徴とする。
また、請求項８に記載の発明は、請求項７に記載の眼科手術用顕微鏡であって、前記算出部は、前記乱視情報として乱視度数と乱視軸角度とを算出し、前記補正部は、前記算出部により算出された乱視度数Ｃを動径とし、かつ当該乱視軸角度θの２倍の値２θを偏角とする極座標（Ｃ、θ）に対応する２次元直交座標（Ｘｍ、Ｙｍ）を求め、前記撮像素子により得られた前記患者眼の画像に描画された前記複数の輝点の像の楕円配列の中心位置における前記第１のｎ次近似曲面の座標Ｘｃ及び前記第２のｎ次近似曲面の座標Ｙｃを、それぞれ前記座標Ｘｍ及び前記座標Ｙｍから減算し、この減算によって得られた座標Ｘｍ−Ｘｃ及び座標Ｙｍ−Ｙｃを極座標に変換して乱視度数及び乱視軸角度を求める、ことを特徴とする。
【発明の効果】
【０００９】
この発明に係る眼科手術用顕微鏡によれば、少なくとも撮影光学系のパワー分布に起因する乱視パラメーターの分布を表す乱視分布情報を用いて、患者眼の乱視情報の測定値を補正することができる。したがって、撮影フレームにおける患者眼の描画位置によらずに乱視軸角度を高確度で測定することが可能である。
【図面の簡単な説明】
【００１０】
【図１】実施形態の眼科手術用顕微鏡の外観構成の一例を表す概略図である。
【図２】実施形態の眼科手術用顕微鏡における投影像形成部の構成の一例を表す概略図である。
【図３】実施形態の眼科手術用顕微鏡における投影像形成部の構成の一例を表す概略図である。
【図４】実施形態の眼科手術用顕微鏡における光学系の構成の一例を表す概略図である。
【図５】実施形態の眼科手術用顕微鏡における光学系の構成の一例を表す概略図である。
【図６】実施形態の眼科手術用顕微鏡における制御系の構成の一例を表す概略ブロック図である。
【図７】実施形態の眼科手術用顕微鏡における表示画面の一例を表す概略図である。
【発明を実施するための形態】
【００１１】
この発明に係る眼科手術用顕微鏡の実施形態の一例について、図面を参照しながら詳細に説明する。
【００１２】
［構成］
〔外観構成〕
この実施形態に係る眼科手術用顕微鏡１の外観構成について図１を参照しつつ説明する。眼科手術用顕微鏡１は、支柱２、第１アーム３、第２アーム４、駆動装置５、顕微鏡６及びフットスイッチ８を含んで構成される。
【００１３】
駆動装置５は、モータ等のアクチュエータを含んで構成される。駆動装置５は、フットスイッチ８の操作レバー８ａを用いた操作に応じて顕微鏡６を上下方向や水平方向に移動させる。それにより顕微鏡６は３次元的に移動可能とされる。
【００１４】
顕微鏡６の鏡筒部１０には、各種光学系や駆動系などが収納されている。鏡筒部１０の上部にはインバータ部１２が設けられている。インバータ部１２は、患者眼Ｅの観察像が倒像として得られる場合に、この観察像を正立像に変換する。インバータ部１２の上部には、左右一対の接眼部１１Ｌ、１１Ｒが設けられている。観察者（術者等）は、左右の接眼部１１Ｌ、１１Ｒを覗き込むことで患者眼Ｅを双眼視できる。顕微鏡６は「本体部」の一例である。
【００１５】
眼科手術用顕微鏡１は投影像形成部１３を有する。投影像形成部１３は、顕微鏡６に対して着脱可能とされており、患者眼Ｅに光束を投射して所定の投影像を患者眼Ｅ上に形成する。投影像形成部１３は「装着部」の一例である。
【００１６】
投影像形成部１３の構成例を図２及び図３に示す。図２中の符合１４は撮影部を表している。撮影部１４には後述のＴＶカメラ５６等が格納されている。また、図３は、投影像形成部１３のヘッド部１３１を下方（つまり、患者眼Ｅの側、換言すると鏡筒部１０の反対側）から見たときの構成を表している。
【００１７】
図２及び図３に示すように、ヘッド部１３１は板状の部材である。図３に示すように、ヘッド部１３１には、円環状の外周部１３１ａと、外周部１３１ａの直径方向に橋設された固視光源保持部１３１ｂが設けられている。
【００１８】
外周部１３１ａの下面には複数のＬＥＤ１３１−ｉ（ｉ＝１〜Ｎ）が設けられている。ＬＥＤ群１３１−ｉはリング状に配列されている。この実施形態では、３６個のＬＥＤ１３１−ｉが等間隔に設けられている（Ｎ＝３６）。すなわち、ＬＥＤ群１３１−ｉの中心位置に対して、ＬＥＤ群１３１−ｉは１０度間隔の角度で配置されている。換言すると、各ＬＥＤ１３１−ｉと当該中心位置とを結ぶ線分を考慮すると、隣接する２個のＬＥＤ１３１−ｉ、１３１−（ｉ＋１）に関する線分は当該中心位置において角度１０度を成して交わる。
【００１９】
各ＬＥＤ１３１−ｉは可視光を発する。ＬＥＤ群１３１−ｉは全て同じ色の光を発するように構成されていてもよいし、異なる色の光を発するように構成されていてもよい。後者としては、ＬＥＤ群１３１−ｉのうち、水平方向と垂直方向に相当するものが、他の方向に相当するものと異なる色を出力するように構成できる。つまり、乱視軸角度（乱視軸角度）が０度、９０度、１８０度、２７０度に相当する位置のＬＥＤ（それぞれＬＥＤ１３１−１、１３１−１０、１３１−１９、１３１−２８）が、他のＬＥＤ１３１−ｉ（ｉ≠１、１０、１９、２８）と異なる色の光束を出力するように構成することが可能である。たとえば、ＬＥＤ１３１−１、１３１−１０、１３１−１９、１３１−２８として赤色ＬＥＤを用いるとともに、他のＬＥＤ１３１−ｉ（ｉ≠１、１０、１９、２８）として緑色ＬＥＤを用いることができる。それにより、乱視軸の水平方向と垂直方向とを容易に認識することが可能となる。
【００２０】
また、ＬＥＤ１３１−１、１３１−１０、１３１−１９、１３１−２８のうちの幾つかのみを他のＬＥＤと異なる色の光束を出力するようにしてもよい。たとえば、角度０度に相当するＬＥＤ１３１ｉのみを他のＬＥＤ（ｉ≠１）と異なる色を出力するように構成することが可能である。
【００２１】
また、ＬＥＤ１３１−１、１３１−１０、１３１−１９、１３１−２８の全てが同じ色（上記例では赤色）の光束を出力するように構成する必要はない。たとえば、各ＬＥＤ１３１−１、１３１−１９として赤色ＬＥＤを用い、各ＬＥＤ１３１−１０、１３１−２８として白色ＬＥＤを用いるとともに、他のＬＥＤ１３１−ｉ（ｉ≠１、１０、１９、２８）として緑色ＬＥＤを用いることが可能である。それにより、水平方向と垂直方向とを容易に識別することが可能となる。
【００２２】
なお、上記のように光源の出力色によって水平方向と垂直方向を認識可能にする代わりに、他の構成によって同様の効果を奏することも可能である。たとえば、出力光の明るさを違えることによって方向を識別可能にすることができる。
【００２３】
固視光源保持部１３１ｂの下面には、患者眼Ｅを固視させるための固視用ＬＥＤ１３１ｃが設けられている。固視用ＬＥＤ１３１ｃは可視光を発する。固視用ＬＥＤ１３１ｃは、たとえば、リング状に配列されたＬＥＤ群１３１−ｉの上記中心位置に配置されている。
【００２４】
固視用ＬＥＤ１３１ｃの個数は１つに限定されるものではなく、任意個数だけ設けることが可能である。また、固視用ＬＥＤ１３１ｃを移動可能に構成することも可能である。
【００２５】
なお、ヘッド部に用いられる光源はＬＥＤである必要はなく、光を出力可能な任意のデバイスであってよい。また、リング状に配列される複数の光源は、等間隔に配置されていなくてもよい。なお、図３は下面図であるので、一般的な乱視軸の設定方向とは逆向き（逆回り）にＬＥＤ群１３１−ｉの配置順が設定されている。それにより、ＬＥＤ群１３１−ｉから出力された光束の角膜反射光（プルキンエ像）は一般的な乱視軸の設定方向として観察又は撮影される。
【００２６】
また、この実施形態では３６個の光源がリング状に配置されているが、その個数も任意である。ただし、ＬＥＤ群１３１−ｉから出力される光束のプルキンエ像に基づいて患者眼Ｅの乱視軸角度を測定する場合には、その測定の精度や確度を担保できるだけの個数の光源が設けられていることが望ましい。乱視軸角度の測定を行わない構成を採用する場合には、光源の個数に関する当該制限はない。
【００２７】
また、乱視軸角度やトーリックＩＯＬの主経線の配置方向を術者が視認する際に要求される精度に応じて、光源の個数を適宜に設定することが可能である。たとえば、この実施形態では１０度間隔で光源を配置しているので、乱視軸角度を少なくとも１０度単位で提示することが可能である。より高い精度で乱視軸角度等を提示するためには、その精度に応じた個数（たとえば５度単位であれば７２個）の光源を設けるようにする。より低い精度の場合も同様である。
【００２８】
また、この実施形態では各々個別に構成された複数の光源（ＬＥＤ群１３１−ｉ）を設けているが、これに限定されるものではない。たとえば、ヘッド部１３１の下面に表示デバイス（たとえばＬＣＤ（液晶ディスプレイ））を設け、この表示デバイスによって複数の輝点を表示させることによって同様の機能を得ることが可能である。この場合、各輝点が「光源」に相当することになる。
【００２９】
鏡筒部１０の下端には対物レンズ部１６が設けられている。対物レンズ部１６には、口述の対物レンズ１５が格納されている。対物レンズ部１６の近傍には支持部材１７が設けられている。支持部材１７は対物レンズ部１６から側方に向けて形成されている。
【００３０】
支持部材１７の先端部１７ａには、上下方向に延びる貫通孔が形成されている。この貫通孔にはアーム１３３が挿入されている。アーム１３３はこの貫通孔内を摺動可能とされている。それにより、先端部１７ａに対し、アーム１３３を上下方向（図２中の両側矢印Ａが示す方向）に移動させることができる。ここで、顕微鏡６側を上方向とし、患者眼Ｅ側を下方向としている。
【００３１】
アーム１３３の上端には落下防止部１３４が設けられている。落下防止部１３４は、上記貫通孔の口径よりも大きな径を有する板状部材である。それにより、落下防止部１３４は、アーム１３３が先端部１７ａから外れて落下することを防止している。
【００３２】
アーム１３３の下端にはヘッド接続部１３２が設けられている。ヘッド接続部１３２は、ＬＥＤ１３１−ｉが設けられている面が下方を向くように、ヘッド部１３１をアーム１３３に接続している。
【００３３】
このような構成により、ヘッド部１３１、ヘッド接続部１３２、アーム１３３及び落下防止部１３４（つまり投影像形成部１３）は、先端部１７ａに対して上下方向に移動自在とされている。投影像形成部１３の移動は、たとえば、ユーザがアーム１３３等を把持して行う。また、モータ等の駆動手段を用いることにより、投影像形成部１３を電動で移動させるように構成することも可能である。
【００３４】
支持部材１７の下面には連結フック１８が設けられている。連結フック１８は、投影像形成部１３の係合部（図示せず）と係合可能に構成されている。この係合部は、たとえばヘッド接続部１３２に設けられる。投影像形成部１３を上方に移動させると、係合部と連結フック１８とが係合して投影像形成部１３の上下移動を禁止する。この係合関係は所定の操作（たとえば所定のボタンの押下）によって解除できるようになっている。連結フック１８及び係合部の構成は任意である。
【００３５】
以上の構成により、ＬＥＤ群１３１−ｉは、対物レンズ１５の光軸方向に沿って移動できるように保持される。また、固視用ＬＥＤ１３２ａは、対物レンズ１５の光軸上に配置される。
【００３６】
〔光学系の構成〕
続いて、図４及び図５を参照しつつ、眼科手術用顕微鏡１の光学系について説明する。ここで、図４は、術者から見て左側から光学系を見た図である。また、図５は、術者側から光学系を見た図である。なお、図４及び図５に示す構成に加え、術者の助手が患者眼Ｅを観察するための光学系（助手用顕微鏡）を設けることもできる。
【００３７】
この実施形態において、上下、左右、前後等の方向は、特に言及しない限り術者側から見た方向とする。なお、上下方向については、対物レンズ１５から観察対象（患者眼Ｅ）に向かう方向を下方とし、これの反対方向を上方とする。一般に患者は仰向け状態で手術を受けるので、上下方向と垂直方向とは同じになる。
【００３８】
対物レンズ１５の下方位置（対物レンズ１５と患者眼Ｅとの間の位置）には、前述のＬＥＤ群１３１−ｉが設けられている。図４及び図５には、その視点方向から見て両端に位置するＬＥＤ１３１−ｉ、１３１−ｊ（ｉ、ｊ＝１〜Ｎ、ｉ≠ｊ）のみ記載してある。
【００３９】
なお、対物レンズ１５と患者眼Ｅとの間とは、上下方向における対物レンズの位置（高さ位置）と患者眼Ｅの位置（高さ位置）との間という意味である（つまり左右方向や前後方向における位置は考慮しない）。ＬＥＤ群１３１−ｉはリング状に配列されているが、全てのＬＥＤ群１３１−ｉからの光の像（輝点像）を患者眼Ｅの角膜に投影可能なサイズであれば、このリングの径は任意に設定できる。
【００４０】
観察光学系３０について説明する。観察光学系３０は、図５に示すように左右一対設けられている。左側の観察光学系３０Ｌを左観察光学系と呼び、右側の観察光学系３０Ｒを右観察光学系と呼ぶ。符号ＯＬは左観察光学系３０Ｌの光軸（観察光軸）を示し、符号ＯＲは右観察光学系３０Ｒの光軸（観察光軸）を示す。左右の観察光学系３０Ｌ、３０Ｒは、対物レンズ１５の光軸Ｏを挟むように配設されている。
【００４１】
従来と同様に、左右の観察光学系３０Ｌ、３０Ｒは、それぞれ、ズームレンズ系３１、ビームスプリッタ３２（右観察光学系３０Ｒのみ）、結像レンズ３３、像正立プリズム３４、眼幅調整プリズム３５、視野絞り３６及び接眼レンズ３７を有する。
【００４２】
ズームレンズ系３１は複数のズームレンズ３１ａ、３１ｂ、３１ｃを含んでいる。各ズームレンズ３１ａ〜３１ｃは、後述の変倍機構８１（図６を参照）によって観察光軸ＯＬ（又は観察光軸ＯＲ）に沿う方向に移動可能とされる。それにより患者眼Ｅを観察又は撮影する際の拡大倍率が変更される。
【００４３】
右観察光学系３０Ｒのビームスプリッタ３２は、患者眼Ｅから観察光軸ＯＲに沿って導光された観察光の一部を分離してＴＶカメラ撮像系に導く。ＴＶカメラ撮像系は、結像レンズ５４、反射ミラー５５及びＴＶカメラ５６を含んで構成される。テレビカメラ撮像系は撮影部１４に格納されている。対物レンズ１５からＴＶカメラ５６（撮像素子５６ａ）までの光路に配置された光学素子は「撮影光学系」の一例を構成する。
【００４４】
ＴＶカメラ５６は撮像素子５６ａを備えている。撮像素子５６ａは、たとえば、ＣＣＤ（Ｃｈａｒｇｅ  Ｃｏｕｐｌｅｄ  Ｄｅｖｉｃｅｓ）イメージセンサや、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサ等によって構成される。撮像素子５６ａとしては２次元の受光面を有するもの（エリアセンサ）が用いられる。
【００４５】
眼科手術用顕微鏡１の使用時には、撮像素子５６ａの受光面は、たとえば、患者眼Ｅの角膜の表面と光学的に共役な位置、又は、その角膜曲率半径の１／２だけ角膜頂点から深さ方向に離れた位置と光学的に共役な位置に配置される。
【００４６】
像正立プリズム３４は倒像を正立像に変換する。眼幅調整プリズム３５は、術者の眼幅（左眼と右眼との間の距離）に応じて左右の観察光の間の距離を調整するための光学素子である。視野絞り３６は、観察光の断面における周辺領域を遮蔽して術者の視野を制限する。
【００４７】
続いて、照明光学系２０について説明する。照明光学系２０は、図４に示すように、照明光源２１、光ファイバ２１ａ、出射口絞り２６、コンデンサレンズ２２、照明野絞り２３、スリット板２４、コリメータレンズ２７及び照明プリズム２５を含んで構成される。
【００４８】
照明野絞り２３は、対物レンズ１５の前側焦点位置と光学的に共役な位置に設けられている。また、スリット板２４のスリット穴２４ａは、この前側焦点位置に対して光学的に共役な位置に形成されている。
【００４９】
照明光源２１は、顕微鏡６の鏡筒部１０の外部に設けられている。照明光源２１には光ファイバ２１ａの一端が接続されている。光ファイバ２１ａの他端は、鏡筒部１０内のコンデンサレンズ２２に臨む位置に配置されている。照明光源２１から出力された照明光は、光ファイバ２１ａにより導光されてコンデンサレンズ２２に入射する。
【００５０】
光ファイバ２１ａの出射口（コンデンサレンズ２２側のファイバ端）に臨む位置には、出射口絞り２６が設けられている。出射口絞り２６は、光ファイバ２１ａの出射口の一部領域を遮蔽するように作用する。出射口絞り２６による遮蔽領域が変更されると、照明光の出射領域が変更される。それにより、照明光による照射角度、つまり患者眼Ｅに対する照明光の入射方向と対物レンズ１５の光軸Ｏとが成す角度などを変更することができる。
【００５１】
スリット板２４は、遮光性を有する円盤状の部材により形成されている。スリット板２４には、照明プリズム２５の反射面２５ａの形状に応じた形状を有する複数のスリット穴２４ａからなる透光部が設けられている。スリット板２４は、図示しない駆動機構により、照明光軸Ｏ′に直交する方向（図４に示す両側矢印Ｂの方向）に移動される。それによりスリット板２４は照明光軸Ｏ′に対して挿脱される。
【００５２】
コリメータレンズ２７は、スリット穴２４ａを通過した照明光を平行光束にする。平行光束になった照明光は、照明プリズム２５の反射面２５ａにて反射され、対物レンズ１５を経由して患者眼Ｅに投射される。患者眼Ｅに投射された照明光（の一部）は角膜にて反射される。患者眼Ｅによる照明光の反射光（観察光と呼ぶことにがある）は、対物レンズ１５を経由して観察光学系３０に入射する。このような構成により、患者眼Ｅの拡大像の観察が可能になる。
【００５３】
〔制御系の構成〕
図６を参照しつつ眼科手術用顕微鏡１の制御系について説明する。なお、図６には制御系の一部のみ記載されている。省略されている部分としては、スリット板２４の駆動機構などがある。
【００５４】
（制御部）
眼科手術用顕微鏡１の制御系は制御部６０を中心に構成される。制御部６０は、眼科手術用顕微鏡１の任意の部位に設けられる。また、図１に示した構成とは別にコンピュータや回路基板を設け、これを制御部６０として用いるようにしてもよい。制御部６０は、通常のコンピュータと同様にマイクロプロセッサや記憶装置を含んで構成される。
【００５５】
制御部６０は眼科手術用顕微鏡１の各部を制御する。特に、制御部６０は、駆動装置５、照明光源２１、変倍機構８１、ＬＥＤ群１３１−ｉ、固視用ＬＥＤ１３１ｃなどを制御する。駆動装置５は、制御部６０の制御を受けて顕微鏡６を３次元的に移動させる。変倍機構８１は、制御部６０の制御を受けて、ズームレンズ系３１の各ズームレンズ３１ａ、３１ｂ、３１ｃを移動させる。駆動装置５及び変倍機構８１には、たとえばパルスモータが設けられている。制御部６０は、各パルスモータにパルス信号を送信してその動作を制御する。
【００５６】
（記憶部）
記憶部７０には各種の情報が記憶される。特に、記憶部７０には乱視分布情報７１が記憶される。乱視分布情報７１は、少なくとも撮影光学系のパワー分布に起因する乱視パラメーターの分布を表す。撮影光学系のパワー分布とは、患者眼Ｅの乱視情報の算出に影響を及ぼす撮影画像の歪み（歪曲収差等）の元となる、撮影光学系を構成する光学素子のパワーを示す。乱視パラメーターの分布は、患者眼Ｅの乱視情報の算出処理に供される画像のフレームにおける分布である。また、乱視パラメーターは、たとえば乱視度数と乱視軸角度とを含む。
【００５７】
この実施形態では、複数の輝点が投影された状態の患者眼Ｅの映像を取得し、この映像のキャプチャ画像を乱視情報の算出処理に用いる。よって、撮影光学系のパワー分布だけでなく、撮像素子５６ａによる撮影画像のフレームとキャプチャ画像のフレームとのサイズの違いも、画像の歪みの原因となる。このフレームサイズの違いの例として、撮像素子５６ａのアスペクト比がある。たとえばアスペクト比４：３の撮影画像から、アスペクト比１６：９のキャプチャ画像を得る場合、画像は横方向に引き延ばされてしまう。
【００５８】
乱視分布情報７１は、実際の測定（予備測定と呼ぶことがある）により生成することもできるし、撮影光学系の構成やアスペクト比などの必要なファクターに基づいて理論的に又はシミュレーションにより生成することもできる。この実施形態では、予備測定により乱視分布情報７１を生成する場合を説明する（後述）。なお、予備測定により乱視分布情報７１を生成する場合には実際の撮影画像を解析するので、撮影光学系のパワーやアスペクト比がどれだけ、どのように影響して撮影画像にそのような歪みが生じたか特定することは困難である。しかしながら、患者眼Ｅの観察や乱視情報の測定を予備測定と同じ撮影光学系や撮像素子５６ａで行うことにより、予備測定での撮影画像と同様の歪みが本測定でも介在すると仮定することは自然である。
【００５９】
（操作部）
操作部８２は、眼科手術用顕微鏡１を操作するために術者等により使用される。操作部８２には、顕微鏡６の筺体などに設けられた各種のハードウェアキー（ボタン、スイッチ等）や、フットスイッチ８が含まれる。また、タッチパネルディスプレイやＧＵＩが設けられている場合、これに表示される各種のソフトウェアキーも操作部８２に含まれる。
【００６０】
（データ処理部）
データ処理部９０は各種のデータ処理を実行する。たとえば、データ処理部９０は、ＬＥＤ群１３１−ｉからの光束が角膜に投影された状態の患者眼Ｅの撮影画像に基づいて、患者眼Ｅの乱視軸角度を算出する。この処理は従来のケラトメータ等と同様の演算処理を含む。また、データ処理部４は乱視分布情報７１を生成する。
【００６１】
このような処理を実行するために、データ処理部９０は、乱視分布情報生成部９１と、乱視情報算出部９２と、乱視情報補正部９３とを有する。乱視分布情報生成部９１は「生成部」の一例であり、乱視情報算出部９２は「算出部」の一例であり、乱視情報補正部９３は「補正部」の一例である。
【００６２】
（乱視分布情報生成部）
乱視分布情報生成部９１は、撮像素子５６ａによる撮影画像に基づいて、この撮影画像フレーム中の複数の位置のそれぞれにおける乱視パラメーターを求め、求められた複数の乱視パラメーターに最小二乗法を適用して乱視分布情報７１を生成する。
【００６３】
この実施形態では、乱視分布情報生成部９１は、複数の輝点が投影された状態の無乱視模型眼の像が複数の位置にそれぞれ描画された複数の撮影画像に基づいて、複数の乱視パラメーターとしての複数の乱視度数及び乱視軸角度の組を求める。この処理の具体例を以下に説明する。
【００６４】
まず、前述の予備測定を行う。予備測定では無乱視模型眼が用いられる。乱視分布情報を生成するための動作モード（キャリブレーションモード）の実行が指示されると、制御部６０は、照明光源２１及びＬＥＤ群１３１−ｉを点灯させるとともに、図示しない表示デバイスに所定の画面を表示させる。なお、表示デバイスは、眼科手術用顕微鏡１自体に設けられていてもよいし、眼科手術用顕微鏡１に直接的に又は間接的に接続されたものであってもよい。
【００６５】
この画面の例を図７に示す。設定画面１００が示す領域は、乱視測定のための解析処理に供される画像が描画されるフレームに相当する。設定画面１００にはターゲット１１０がオーバーレイ表示される。ターゲット１１０は、矩形枠１１１と、この矩形枠１１１の中心１１３で交差する縦線１１２ａ及び横線１１２ｂとからなる。
【００６６】
ユーザは、操作部８２又は外部の操作デバイスを用いて、設定画面１１０中の所望の位置にターゲット１００を表示させる。制御部６０又は外部のマイクロプロセッサは、ＬＥＤ群１３１−ｉからの光が投影された状態の無乱視模型眼の映像を設定画面１００に表示させる。
【００６７】
ユーザは、無乱視模型眼と眼科手術用顕微鏡１の光学系との相対位置を調整し、ＬＥＤ群１３１−ｉによる輝点像をターゲット１００内に表示させる。このとき、円形又は楕円形に配列された複数の輝点像１２０の中心を、矩形枠１１１の中心１１３に一致させるようにする。ユーザが操作部８２を用いて撮影を指示すると、乱視分布情報生成部９１は、無乱視模型眼の映像のキャプチャ画像を生成する。
【００６８】
ユーザは、このような処理を設定画面１００中の複数の位置で行う。設定画面１００中の各位置は、たとえば矩形枠の中心１１３の位置によって特定される。なお、ターゲット１００の複数の表示位置をあらかじめ決めておき、所定の契機に対応してこれら表示位置にターゲット１００を順次に表示させるようにしてもよい。
【００６９】
上記のような処理の実行回数は、後述の最小二乗近似の次数に応じて決定される。たとえば、２次近似を行う場合には９箇所以上、３次近似を行う場合には１７箇所以上で、上記の処理が実行される。なお、図７には１２箇所が記載されているが、これは単なる例示に過ぎず、これに限定されるものではない。
【００７０】
以上の処理により、設定画面１００中の複数の位置のそれぞれに輝点像１２０が描画された、複数のキャプチャ画像が得られる。乱視分布情報生成部９１は、これらキャプチャ画像に基づいて次のような処理を実行することにより乱視分布情報７１を生成する。なお、乱視分布情報９１は、眼科手術用顕微鏡１の外部のコンピュータに設けられていてもよい。
【００７１】
乱視分布情報生成部９１は、まず、ケラトメータ等と同様の公知の演算処理を各キャプチャ画像に基づいて行うことにより乱視パラメーターを求める。この乱視パラメーターは、たとえば、撮影光学系のパワー分布とアスペクト比に起因する、当該キャプチャ画像中の輝点像の配列（一般に楕円配列）の中心位置における乱視度数及び乱視軸角度の組である。複数（Ｎ個）のキャプチャ画像のそれぞれに対応する乱視度数をＣｉ、乱視軸角度をθｉで表す（ｉ＝１〜Ｎ）。各キャプチャ画像に基づいて乱視パラメーターを算出する処理は、乱視情報算出部９２が行ってもよい。なお、以下の例では２次近似の場合について説明するが、３次近似以上の場合についても同様である。
【００７２】
乱視分布情報生成部９１は、各キャプチャ画像に対応する乱視パラメーターについて、乱視度数Ｃｉを動径とし、かつ乱視軸角度θｉの２倍の値２θｉを偏角とする極座標（Ｃｉ、θｉ）に対応する２次元直交座標（Ｘｉ、Ｙｉ）を求める。ここで、極座標（Ｃｉ、θｉ）は極座標系（Ｃｉ、θｉ）の座標であり、２次元直交座標（Ｘｉ、Ｙｉ）は２次元直交座標系（Ｘ、Ｙ）の座標である。それにより次式が得られる。
【００７３】
【数１】
2013027536.tif 000003
【００７４】
それにより、各キャプチャ画像に対応するＸ成分とＹ成分が得られる。更に、乱視分布情報生成部９１は、各キャプチャ画像中の輝点の楕円配列の中心の座標（ｘｉ，ｙｉ）を算出する。この中心の座標（ｘｉ，ｙｉ）は、たとえば、楕円の長径と短径の交差位置を算出することにより、或いは前述の矩形枠１１１の中心１１３の座標として得られる。
【００７５】
続いて、乱視分布情報生成部９１は、各キャプチャ画像に対応するＸ成分Ｘｉ及び中心の座標（ｘｉ，ｙｉ）に基づく次式における係数ａ、ｂ、ｃ、ｄ、ｅ、ｈを、最小二乗近似によって算出する。
【００７６】
【数２】
2013027536.tif 000004
【００７７】
乱視分布情報生成部９１は、Ｙ成分Ｙｉ及び中心の座標（ｘｉ，ｙｉ）についても同様に、次式における係数を最小二乗近似によって算出する。
【００７８】
【数３】
2013027536.tif 000005
【００７９】
これら係数は以下の要領で算出される。一具体例として、乱視分布情報生成部９１は、次の処理を実行することで乱視分布情報７１を生成する：
（１）複数の乱視パラメーター（乱視度数及び乱視軸角度の組）のそれぞれについて、乱視度数Ｃｉを動径とし、かつ乱視軸角度θｉの２倍の値２θｉを偏角とする極座標（Ｃｉ、θｉ）に対応する２次元直交座標（Ｘｉ、Ｙｉ）を求める；
（２）複数の２次元直交座標（Ｘｉ、Ｙｉ）における複数の座標Ｘｉに最小二乗法を適用して、フレーム（設定画面１００）の全体にわたる第１のｎ次近似曲面を算出する；
（３）複数の２次元直交座標（Ｘｉ、Ｙｉ）における複数の座標Ｙｉに最小二乗法を適用して、フレーム（設定画面１００）の全体にわたる第２のｎ次近似曲面を算出する；
（４）第１のｎ次近似曲面及び第２のｎ次近似曲面を乱視分布情報７１とする。
【００８０】
このようにして得られる乱視分布情報７１は、制御部６０により記憶部７０に記憶される。この乱視分布情報７１には、フレーム中の各位置における乱視パラメーターが記録されている。より詳しくは、この乱視分布情報７１は、フレーム中の複数の位置（Ｎ個の位置）における乱視パラメーターの測定結果に最小二乗法を適用して得られた情報である。乱視パラメーターの測定結果は、各位置における乱視度数Ｃｉと乱視軸角度θｉとから式（１）により算出される座標Ｘｉ、Ｙｉである。乱視分布情報７１は、これら座標Ｘｉ、Ｙｉに最小二乗法を適用して、その定義域を離散的なＮ個の点からフレーム全体に広げることにより得られる。つまり、乱視分布情報７１は、フレーム全体を定義域としベクトルを（Ｘｃ、Ｙｃ）とするベクトル場として把握できる。なお、乱視分布情報７１はこれには限定されず、少なくとも撮影光学系のパワー分布に起因する乱視パラメーターの分布を表すものであればその形態は任意である。たとえば、上記の係数ａ〜ｈを乱視パラメーターとしてもよいし、Ｎ個の極座標（Ｃｉ、θｉ）又はＮ個の２次元直交座標（Ｘｉ、Ｙｉ）を乱視パラメーターとしてもよい。これらの場合、後述の乱視情報補正部９３は、上記の式を適宜に用いて、患者眼Ｅの乱視度数や乱視軸角度の実測値を補正する。
【００８１】
上記の処理（２）及び（３）において、フレーム（設定画面１００）の全体にわたるｎ次近似曲面を求める代わりに、フレームの一部についてのみ定義されたｎ次近似曲面を求めるようにしてもよい。たとえば、フレームの端部近傍に患者眼Ｅの像（つまり輝点像）が表示されることはない（少なくとも希である）ため、フレームの端部近傍領域を除いた領域についてのみｎ次近似曲面を求めるようにしても不都合はない（少なくとも小さい）。この端部近傍領域は、あらかじめ決定されていてもよいし、観察倍率等のファクターに応じて決定するようにしてもよい。
【００８２】
（乱視情報算出部）
乱視情報算出部９２は、複数の輝点が投影された状態の患者眼Ｅｆを撮像素子５６ａにより撮影して得られた画像に基づいて乱視情報を算出する。より具体的には、乱視情報算出部９２は、ケラトメータ等と同様の公知の演算処理により、患者眼Ｅの撮影画像（キャプチャ画像）に描画された複数の輝点像の配列に基づいて乱視度数と乱視軸角度とを求める。つまり、乱視情報算出部９２は、楕円形状に配列された複数の輝点像の楕円率（短径と長径との比）から乱視度数を算出し、更に、その楕円主軸方向から乱視軸角度の情報を算出する。また、楕円の大きさから球面度数を求めることも可能である。
【００８３】
（乱視情報補正部）
乱視情報補正部９３は、乱視情報算出部９２により算出された乱視情報を乱視分布情報７１に基づいて補正する。この実施形態では以下の補正処理が実行される：
（１）乱視情報算出部９２により算出された乱視度数Ｃを動径とし、かつ乱視軸角度θの２倍の値２θを偏角とする極座標（Ｃ、θ）に対応する２次元直交座標（Ｘｍ、Ｙｍ）を求める（乱視分布情報生成部９１と同様の処理である）；
（２）撮像素子５６ａにより得られた患者眼Ｅの画像に描画された複数の輝点像の楕円配列の中心位置における第１のｎ次近似曲面の座標Ｘｃ及び第２のｎ次近似曲面の座標Ｙｃを特定し、特定された座標Ｘｃ及び座標Ｙｃをそれぞれ座標Ｘｍ及び座標Ｙｍから減算する；
（３）この減算処理によって得られた座標Ｘｍ−Ｘｃ及び座標Ｙｍ−Ｙｃを極座標に変換する。
【００８４】
この処理についてより具体的に説明する。患者眼Ｅの乱視測定が実施されると、乱視情報補正部９３は、患者眼Ｅの画像に描画された複数の輝点像の楕円配列の中心位置（ｘ，ｙ）を求め、この中心位置（ｘ，ｙ）における乱視パラメーター（Ｘｃ、Ｙｃ）を乱視分布情報７１から取得する。更に、乱視情報補正部９３は、式（数１）と同様にして、乱視情報算出部９２により算出された乱視度数Ｃ及び乱視軸角度θ（極座標（Ｃ，θ））に対応する２次元直交座標（Ｘｍ、Ｙｍ）を算出する。そして、次式により、患者眼Ｅの乱視度数と乱視軸角度を正規化する。
【００８５】
【数４】
2013027536.tif 000006
【００８６】
乱視情報補正部９３は、正規化されたＸ成分及びＹ成分を次式に代入することにより、患者眼Ｅの乱視情報の実測値（Ｃ，θ）の補正値（Ｃ′，θ′）を算出する。
【００８７】
【数５】
2013027536.tif 000007
【００８８】
制御部６０は、このようにして得られた補正値（Ｃ′，θ′）のうちの乱視軸角度θ′に対応する位置のＬＥＤ１３１−ｉをＬＥＤ群１３１−ｉのうちから特定する。更に、制御部６０は、特定されたＬＥＤ１３１−ｉを他のＬＥＤ１３１−ｊ（ｊ≠ｉ）と異なる態様で点灯させる。この処理の例は特許文献１に記載されている。
【００８９】
［作用・効果］
以上のような眼科手術用顕微鏡１の作用及び効果を説明する。
【００９０】
眼科手術用顕微鏡１の記憶部７０には、少なくとも撮影光学系のパワー分布に起因する乱視パラメーターの分布を表す乱視分布情報７１があらかじめ記憶されている。「あらかじめ」とは、患者眼Ｅの乱視測定の時点よりも前であることを意味する。患者眼Ｅの乱視測定が実施されると、乱視情報算出部９２は、ＬＥＤ群１３１−ｉからの光が投影された状態の患者眼Ｅを撮像素子５６ａにより撮影して得られた画像に基づいて乱視情報を算出する。更に、乱視情報補正部９３は、この乱視情報を乱視分布情報７１に基づいて補正する。
【００９１】
このような眼科手術用顕微鏡１によれば、撮影光学系のパワー分布等に起因する画像の歪みの影響を補正することができる。また、この実施形態では、撮影光学系のパワー分布だけでなく、アスペクト比による画像の歪みの影響も補正される。なお、撮影光学系のパワー分布やアスペクト比による画像の歪みの大きさは、フレーム中の位置によって変わる。したがって、この実施形態によれば、撮影フレームにおける患者眼Ｅの描画位置によらずに乱視軸角度を高確度で測定することが可能である。
【００９２】
また、この実施形態によれば、乱視軸角度の補正値に対応する位置のＬＥＤ１３１−ｉの態様と、他のＬＥＤ１３１−ｊの態様とを相違させることができる。よって、術者は、患者眼Ｅの乱視軸角度（補正された高確度の値である）を、患者眼Ｅを観察しつつ視覚的かつ直感的に認識することができる。したがって、トーリックＩＯＬの移植手術等の容易化を図ることが可能である。
【００９３】
また、乱視分布情報７１には、フレーム中の各位置における乱視パラメーターが記録されている。したがって、フレーム中の任意の位置に描画された複数の輝点像に基づいて、上記補正を行うことができる。
【００９４】
また、乱視分布情報７１には、フレーム中の複数の位置における乱視パラメーターの測定結果に最小二乗法を適用して得られた情報が記録されている。したがって、フレーム中の複数の位置における乱視パラメーターから、フレーム中の２次元領域についての乱視パラメーターを得ることができる。また、最小二乗法を用いているので、近似の誤差も小さい。なお、近似の誤差をより小さくするには、近似式の次数を高くすればよい。ただし、次数を高めると、予備測定での測定位置の数が増すとともに、処理に供されるデータ量や処理時間が増加する。よって、これら様々なファクターを勘案して次数を決定することが望ましい。
【００９５】
［変形例］
以上の実施形態は、この発明に係る眼科手術用顕微鏡の一例に過ぎない。この発明を実施しようとする者は、この発明の要旨の範囲内における任意の変形を施すことが可能である。
【００９６】
上記の実施形態の予備測定では、リング状に配列された複数の輝点が用いられているが、これには限定されない。たとえば、複数の縦線と複数の横線とが交差してなる格子状の輝線群を投影することで、フレーム中に発生する画像の歪みの分布（乱視パラメーターの分布）を求めることが可能である。一般に、乱視パラメーターの分布を求めることが可能であれば、どのような形態で予備測定を行うかは任意である。
【００９７】
また、乱視分布情報７１を生成する処理や、乱視情報を補正する処理は、上記のものに限定されるものではない。各々の目的が達成される限りにおいて、その具体的な処理内容は任意である。
【符号の説明】
【００９８】
１  眼科手術用顕微鏡
５  駆動装置
１３  投影像形成部
２０  照明光学系
２１  照明光源
３０  観察光学系
５６ａ  撮像素子
７０  記憶部
７１  乱視分布情報
８１  変倍機構
８２  操作部
９０  データ処理部
１３１−ｉ  ＬＥＤ
１３１ｃ  固視用ＬＥＤ
【図１】
2013027536.tif 000008
【図２】
2013027536.tif 000009
【図３】
2013027536.tif 000010
【図４】
2013027536.tif 000011
【図５】
2013027536.tif 000012
【図６】
2013027536.tif 000013
【図７】
2013027536.tif 000014